(57)【要約】【課題】  携帯電子機器の使用者の生体情報として、アイリス（眼球の虹彩）を利用して個人認証を行う場合、カメラと眼球の位置関係が定まらず、正確な個人認証ができない可能性がある。【解決手段】  折畳み型携帯電話機の使用開始に先立ち、使用者は、個人認証に用いる側の目２１を折畳み型携帯電話機の上本体１の外部に設けられた鏡４に写し、更に鏡４に写る目２１を見ながら、目２１の瞳２２の外形がカメラ窓５の外形に重なるように、使用者と折畳み型携帯電話機との相対距離や高さなどを調整する。その後、上記の調整が終わった段階で、使用者が操作ボタンを押下することにより、カメラにより、カメラ窓５を通して使用者の瞳２２を撮影する。これにより、常にカメラと瞳２２の中心が略一致した状態で瞳２２がカメラにより撮影することができる。【選択図】            図５
2005203913.tif 000002
【特許請求の範囲】
【請求項１】
搭載されたカメラで撮影した使用者の瞳の虹彩データを用いて個人認証を行う機能を備えた携帯電子機器であって、
機器本体の所定外部位置に設けられた、前記使用者の目を写す鏡と、
前記鏡の中に設けられた前記カメラのカメラ窓と
を有することを特徴とする携帯電子機器。
【請求項２】
前記カメラ窓は、外形が前記使用者の瞳の外形と同様の円形に設定されており、該カメラ窓の外形に前記使用者の瞳の外形を合わせた状態で、前記カメラの撮影を行うことを特徴とする請求項１記載の携帯電子機器。
【請求項３】
搭載されたカメラで撮影した使用者の瞳の虹彩データを用いて個人認証を行う機能を備えた携帯電子機器であって、
機器本体の所定外部位置に設けられた、前記使用者の目を写す鏡と、
前記鏡の中に設けられた前記カメラのカメラ窓と、
前記カメラ窓を囲むように前記鏡の中に表示された表示図形と
を有することを特徴とする携帯電子機器。
【請求項４】
前記表示図形は、前記使用者の瞳の外形と同様の円形に設定されており、該表示図形に前記使用者の瞳の外形を合わせた状態で、前記カメラの撮影を行うことを特徴とする請求項３記載の携帯電子機器。
【請求項５】
前記表示図形は、該表示図形に前記使用者の瞳の外形を合わせたときに、前記カメラの焦点位置に対応した最適位置に該使用者の瞳が位置するような半径に設定された円形であることを特徴とする請求項３記載の携帯電子機器。
【請求項６】
正当使用者の瞳の虹彩データが予め記憶部に格納されており、機器本体の所定外部位置に鏡が設けられると共に、前記鏡の中に外形が円形のカメラ窓が設けられた、カメラを搭載した携帯電子機器の個人認証方法であって、
前記鏡に使用者の目を写す第１のステップと、
前記カメラ窓の外形に使用者の瞳の外形を合わせる第２のステップと、
前記カメラ窓の外形に前記使用者の瞳の外形を合わせた状態で、前記カメラにより前記カメラ窓を通して前記使用者の瞳を撮影する第３のステップと、
前記第３のステップで撮影して得られた虹彩データと、前記記憶部から読み出した前記正当使用者の瞳の虹彩データとを比較照合して、照合結果に基づき個人認証を行う第４のステップと
を含むことを特徴とする携帯電子機器の個人認証方法。
【請求項７】
正当使用者の瞳の虹彩データが予め記憶部に格納されており、機器本体の所定外部位置に鏡が設けられると共に、前記鏡の中に外形が円形のカメラ窓が設けられた、カメラを搭載した携帯電子機器の個人認証方法であって、
前記鏡に使用者の目を写す第１のステップと、
前記カメラ窓を囲むように前記鏡の中に表示された表示図形に使用者の瞳の外形を合わせる第２のステップと、
前記表示図形に前記使用者の瞳の外形を合わせた状態で、前記カメラにより前記カメラ窓を通して前記使用者の瞳を撮影する第３のステップと、
前記第３のステップで撮影して得られた虹彩データと、前記記憶部から読み出した前記正当使用者の瞳の虹彩データとを比較照合して、照合結果に基づき個人認証を行う第４のステップと
を含むことを特徴とする携帯電子機器の個人認証方法。
【発明の詳細な説明】
【技術分野】
【０００１】
本発明は携帯電子機器及び携帯電子機器の個人認証方法に係り、特に携帯電話、携帯情報端末（ＰＤＡ）、携帯型パーソナルコンピュータなどの携帯電子機器自身が使用者を、アイリス（眼球の虹彩）認識技術を利用して認識するための携帯電子機器及び携帯電子機器の個人認証方法に関する。
【背景技術】
【０００２】
近年の携帯電子機器の発達はめざましく、多くの個人情報を記憶できるほか、インターネット等に接続し、売買契約等も可能である。しかし、こういった利便性が高まるにつれ、機密漏洩防止や第三者の使用を防止するため、携帯電子機器自身が使用者を認識する要求が高まっている。
【０００３】
このような要求を満足するため、従来より携帯電子機器の使用者の生体情報（例えば、指紋、手形、顔、虹彩、網膜、声紋など）を利用して個人認証を行う技術が種々提案されている（例えば、特許文献１、２参照）。すなわち、特許文献１には、ユーザーの生体情報を入力するための入力手段と、入力した生体情報を表示する表示手段と、上記の入力した生体情報をもとに予め登録されたユーザーを個人認証するための認証手段とを有し、表示手段が入力した生体情報の大きさや位置を指定するための指標を表示することを特徴とする携帯電子機器が開示されている。
【０００４】
また、特許文献２には、眼の虹彩のイメージを捕捉するための前面を有する虹彩捕捉手段と、虹彩捕捉手段の前面の前方に配置されているイメージ平面を有するレンズと、レンズの虹彩捕捉手段と反対側に配置されているミラーと、ミラーの側方に配置されている照射装置と、虹彩捕捉手段により捕捉された虹彩イメージを記憶するためのメモリと、記憶された虹彩イメージからテンプレートを抽出するためのプロセッサと、テンプレートを中央局に送信するための通信インターフェイスとを具備する電話セキュリティモジュールを備えた通信装置が開示されている。
【０００５】
【特許文献１】特開２００３−３１７１００号公報（第３頁）
【特許文献２】特表２００２−５３０９７６号公報（第１１頁）
【発明の開示】
【発明が解決しようとする課題】
【０００６】
しかしながら、携帯電子機器の使用者の生体情報として、アイリス（眼球の虹彩）を利用して個人認証を行う場合、特許文献２記載の通信装置では、カメラと眼球の位置関係が定まらず、正確な個人認証ができない可能性がある。
【０００７】
一方、特許文献１には、カメラ付き携帯電話で顔画像を用いて個人認証を行う場合に、正面向きや複数の顔の向きの画像を予めテンプレートとして用意しておき、カメラから取り込んだ顔画像と、テンプレートのそれぞれの向きの顔画像とを比較して類似度を算出したり、ディスプレイに目の位置を決めるための指標を表示し、カメラから入力する登録者の顔の目の位置が指標である２つの点に合うように指示を出して顔画像の登録を行うことが記載されているが、このものはあくまでも顔画像での個人認証であり、カメラと眼球の位置関係を正確に定めて、カメラで撮影した眼球の画像データを利用して個人認証を行うことは開示していない。
【０００８】
本発明は以上の点に鑑みなされたもので、カメラと眼球の位置関係を正確に定めて、カメラで撮影した眼球の画像データを利用して個人認証を行い得る携帯電子機器及び携帯電子機器の個人認証方法を提供することを目的とする。
【課題を解決するための手段】
【０００９】
上記の目的を達成するため、第１の発明の携帯電子機器は、搭載されたカメラで撮影した使用者の瞳の虹彩データを用いて個人認証を行う機能を備えた携帯電子機器であって、機器本体の所定外部位置に設けられた、使用者の目を写す鏡と、鏡の中に設けられたカメラのカメラ窓とを有することを特徴とする。この発明では、使用者自身が鏡を見ながら自分の瞳の外形をカメラ窓の外形に合わせるような調整を行うことにより、瞳の中心とカメラ窓の中心を略一致させることができる。
【００１０】
また、上記の目的を達成するため、第２の発明の携帯電子機器は、第１の発明のカメラ窓を、外形が使用者の瞳の外形と同様の円形に設定されており、カメラ窓の外形に使用者の瞳の外形を合わせた状態で、カメラの撮影を行うことを特徴とする。この発明では、瞳の中心とカメラ窓の中心を略一致させた状態で、カメラにより使用者の瞳を撮影することができる。
【００１１】
また、上記の目的を達成するため、第３の発明の携帯電子機器は、搭載されたカメラで撮影した使用者の瞳の虹彩データを用いて個人認証を行う機能を備えた携帯電子機器であって、機器本体の所定外部位置に設けられた、使用者の目を写す鏡と、鏡の中に設けられたカメラのカメラ窓と、カメラ窓を囲むように鏡の中に表示された表示図形とを有することを特徴とする。この発明では、使用者自身が鏡を見ながら自分の瞳の外形をカメラ窓よりも大径の表示図形に合わせるような調整を行うことにより、瞳の中心とカメラ窓の中心を略一致させることができる。
【００１２】
また、上記の目的を達成するため、第４の発明の携帯電子機器は、第３の発明の表示図形を、使用者の瞳の外形と同様の円形に設定し、表示図形に使用者の瞳の外形を合わせた状態で、カメラの撮影を行うことを特徴とする。この発明では、瞳の中心とカメラ窓の中心を略一致させた状態で、しかもカメラ窓を通る瞳の一部だけを拡大して撮影することができる。
【００１３】
また、上記の目的を達成するため、第５の発明の携帯電子機器は、第３の発明の表示図形を、表示図形に使用者の瞳の外形を合わせたときに、カメラの焦点位置に対応した最適位置に使用者の瞳が位置するような半径に設定された円形としたことを特徴とする。この発明では、瞳の中心とカメラ窓の中心を略一致させた状態で正確に瞳の画像を撮影することができる。
【００１４】
また、上記の目的を達成するため、第６の発明の携帯電子機器の個人認証方法は、正当使用者の瞳の虹彩データが予め記憶部に格納されており、機器本体の所定外部位置に鏡が設けられると共に、鏡の中に外形が円形のカメラ窓が設けられた、カメラを搭載した携帯電子機器の個人認証方法であって、鏡に使用者の目を写す第１のステップと、カメラ窓の外形に使用者の瞳の外形を合わせる第２のステップと、カメラ窓の外形に使用者の瞳の外形を合わせた状態で、カメラによりカメラ窓を通して使用者の瞳を撮影する第３のステップと、第３のステップで撮影して得られた虹彩データと、記憶部から読み出した正当使用者の瞳の虹彩データとを比較照合して、照合結果に基づき個人認証を行う第４のステップとを含むことを特徴とする。
【００１５】
この発明では、カメラ窓の外形に使用者の瞳の外形を合わせた状態で、カメラによりカメラ窓を通して撮影した使用者の瞳の虹彩データと、記憶部から読み出した正当使用者の瞳の虹彩データとを比較照合して、照合結果に基づき個人認証を行うことができる。
【００１６】
更に、上記の目的を達成するため、第７の発明の携帯電子機器の個人認証方法は、正当使用者の瞳の虹彩データが予め記憶部に格納されており、機器本体の所定外部位置に鏡が設けられると共に、鏡の中に外形が円形のカメラ窓が設けられた、カメラを搭載した携帯電子機器の個人認証方法であって、鏡に使用者の目を写す第１のステップと、カメラ窓を囲むように鏡の中に表示された表示図形に使用者の瞳の外形を合わせる第２のステップと、表示図形に使用者の瞳の外形を合わせた状態で、カメラによりカメラ窓を通して使用者の瞳を撮影する第３のステップと、第３のステップで撮影して得られた虹彩データと、記憶部から読み出した正当使用者の瞳の虹彩データとを比較照合して、照合結果に基づき個人認証を行う第４のステップとを含むことを特徴とする。
【００１７】
この発明では、カメラ窓よりも大径の表示図形に使用者の瞳の外形を合わせた状態で、カメラによりカメラ窓を通して使用者の瞳を撮影して得られた虹彩データと、記憶部から読み出した正当使用者の瞳の虹彩データとを比較照合して、照合結果に基づき個人認証を行うことができる。
【発明の効果】
【００１８】
本発明によれば、使用者自身が鏡を見ながら自分の瞳の外形をカメラ窓の外形、あるいはカメラ窓の外形よりも大径の表示図形に合わせるような調整を行うことにより、瞳の中心とカメラ窓の中心を略一致させるようにしたため、従来に比べてカメラと使用者の瞳の位置関係をある程度予測出来る範囲に絞り込むことができ、これにより、個人認証するために必要なカメラにより撮影された虹彩データの収得が可能となり、安定した個人認証を実現できる。
【００１９】
また、本発明によれば、カメラ窓又はカメラ窓よりも大径の表示図形に使用者の瞳の外形を合わせた状態で、カメラによりカメラ窓を通して使用者の瞳を撮影して得られた虹彩データと、記憶部から読み出した正当使用者の瞳の虹彩データとを比較照合して、照合結果に基づき個人認証を行うようにしたため、従来に比べて簡単に、しかも正確に個人認証を行うことができる。
【発明を実施するための最良の形態】
【００２０】
次に、本発明を実施するための最良の形態について、図面を参照して詳細に説明する。図１は本発明になる携帯電子機器の一実施の形態の外観斜視図、図２は図１の要部の拡大斜視図、図３は本発明になる携帯電子機器の一実施の形態のブロック図を示す。各図中、同一構成部分には同一符号を付してある。
【００２１】
本実施の形態の携帯電子機器は折畳み型携帯電話機で、折畳み状態（閉状態）では図１に示すように、上本体１と下本体２とがヒンジ３により、各々の一側端部を支点として回動自在に結合されている。本実施の形態は、上本体１の下本体２と反対側の上面の所定位置に、図１及び図２に示すように、比較的大きな四角形状の鏡４と、鏡４の略中央部に位置するカメラ窓５とが設けられている点に特徴がある。また、下本体２の側面にはカメラ窓を有するカメラのシャッター機能を備えた操作ボタン６が設けられ、更に、上本体１のヒンジ３とは反対側の上側側面にはアンテナ７が突設されている。
【００２２】
図１は上本体１と下本体２が、互いの内側面をほぼ密接対向配置された閉状態（折畳み状態）を示しており、この状態で後述するように瞳の虹彩データを撮影する。また、通常の電話機としての使用時には、上本体１と下本体２の内側面同士がヒンジ３を支点として所定角度離間した開状態とされる。
【００２３】
上本体１の内側面には、図３に示すカメラ８、表示部９及び受話音声などを発音するスピーカ１０などが設けられ、下本体２の内側面には、図３に示す送話音声収音用マイク１１と、数字キーその他の各種キーからなるキー操作部１２が設けられている。更に、上本体１及び下本体２のいずれか一方又は両方の筐体内部には、図３に示す制御部１３、記憶部１４、無線部１５、信号処理部１６、音声処理部１７及び表示駆動部１８が設けられている。
【００２４】
この折畳み型携帯電話機は、通常の使用時には次のように動作する。図３において、マイク１１により収音された送話音声は、マイク１１により電気信号である音声信号に変換された後、音声処理部１７、信号処理部１６を通して所定の信号形態に変換され、更に無線部１５で無線信号とされてアンテナ７を介して最寄りの基地局（図示せず）へ無線送信される。基地局は上位の公衆網に接続されており、受信した無線信号を携帯電話機の相手端末へ出力する。
【００２５】
一方、相手端末からの音声信号は、上記の基地局を介して無線送信され、アンテナ７で受信され、無線部１５で無線処理され、信号処理部１６及び音声処理部１７を経由して復調された音声信号とされた後、スピーカ１０により電気−音響変換されて受話音声として発音される。なお、キー操作部１２により入力された電話番号やメール文などは、制御部１３を介して表示駆動部１８に供給され、ここで表示に適した信号に変換されて表示部９により表示される。また、キー操作部１２により作成したメール文の送信処理をしたときには、制御部１３を介して信号処理部１６に供給されて所定のデータフォーマットとされた後、無線部１５及びアンテナ７を介して無線送信される。一方、アンテナ７で受信したメール文は、無線部１５、信号処理部１６、制御部１３、表示駆動部１８を通して表示部９に表示される。
【００２６】
ここで、本実施の形態では、上記の通常の使用は、使用者の眼球の虹彩データを用いた個人認証により正当使用者であると判定されたときにのみ可能となる。すなわち、本実施の形態では、図３の記憶部１４には予め使用者の眼球（瞳）の虹彩データが格納されている。使用者は自分のどちら側の眼球の虹彩データが記憶部１４に格納されているかが分かっており、カメラ８により撮影された虹彩データと記憶部１４からの虹彩データとを、制御部１３が比較照合して個人認証を行う。
【００２７】
次に、使用開始前に行う本実施の形態の個人認証の方法について、更に詳細に説明する。本実施の形態の折畳み型携帯電話機の使用開始に先立ち、図４に示すように、使用者２０は、個人認証に用いる側の目２１を本実施の形態の折畳み型携帯電話機の鏡４に写し、更に図５に示すように、鏡４に写る目２１を見ながら、目２１の瞳２２の外形がカメラ窓５の外形に重なるように、使用者と折畳み型携帯電話機との相対距離や高さなどを調整する。
【００２８】
その後、上記の調整が終わった段階で、使用者が操作ボタン６を押下することにより、折畳み型携帯電話機に搭載されたカメラ８により、カメラ窓５を通して使用者２０の瞳２２を撮影する。なお、カメラ８と使用者の目２１の位置関係は、使用者本人が調整して、ある程度決まった状態にすることができる。また、記憶部１４に記憶されている虹彩データもこのようにして撮影されたデータである。
【００２９】
従って、図５のようにすることにより、常にカメラ８と瞳２２の中心が略一致し、撮影に適した距離が保て、それらの位置関係がある程度予測できる範囲に絞り込まれた状態で瞳２２がカメラ８により撮影されるため、使用者が正当使用者であれば撮影して得られた虹彩データは、予め記憶部１４に記憶されている虹彩データと略同一となる。これにより、図３に示した制御部１３は、記憶部１４から読み出した虹彩データと、カメラ８により撮影して得られた虹彩データとを公知の方法にて比較照合することにより、比較がほぼ一致した場合は、正当使用者であると判断する個人認証が常に正確に、かつ、安定にできる。
【００３０】
次に、本発明の他の実施の形態について説明する。図６は本発明になる携帯電子機器の他の実施の形態の外観斜視図を示す。同図中、図１と同一構成部分には同一符号を付し、その説明を省略する。図６に示す実施の形態は図１に示した実施の形態と比較すると、カメラ窓５を囲むように、鏡４にカメラ窓５と同心の円２５を印刷した点に特徴がある。
【００３１】
これにより、本実施の形態では、鏡４に映った使用者の瞳の外形が円２５の外形と重なるように使用者の目とカメラとの間の距離を調整することにより、カメラ窓５より大きい瞳をカメラにより撮影することができる。この場合は、より精度の高い虹彩データを用いた個人認証が可能である。
【００３２】
なお、本発明は以上の実施の形態に限定されるものではなく、例えば、鏡４は下本体側に設けるようにしてもよい。また、カメラ８は個人認証用の瞳を撮影するだけでなく、携帯電話機周辺の被写体の撮影にも共用することは可能である。更に、本発明は、折畳み型以外の携帯電話機に適用することもでき、また、携帯情報端末（ＰＤＡ）や携帯型パーソナルコンピュータなどの携帯電話機以外の携帯電子機器にも適用することができる。更に、瞳をカメラ窓５より大きく撮影するための図６の円２５として、カメラの性能に合わせ、最適な焦点位置に眼球がくるように半径が設定された円を表示するようにしてもよい。更に、図３に示した記憶部１４は携帯電話機内部にあってもよいし、外部から接続される可搬型メモリであってもよい。
【図面の簡単な説明】
【００３３】
【図１】本発明の携帯電子機器の一実施の形態の外観斜視図である。
【図２】図１の要部の拡大斜視図である。
【図３】本発明になる携帯電子機器の一実施の形態のブロック図である。
【図４】使用者が自分を本発明の携帯電子機器に認識させる状態を示す図である。
【図５】図４の要部の拡大図である。
【図６】本発明の携帯電子機器の他の実施の形態の外観斜視図である。
【符号の説明】
【００３４】
１  上本体
２  下本体
３  ヒンジ
４  鏡
５  カメラ窓
６  操作ボタン
８  カメラ
１３  制御部
１４  記憶部
２１  使用者の目
２２  使用者の瞳
２５  印刷された円
【図１】
2005203913.tif 000003
【図２】
2005203913.tif 000004
【図３】
2005203913.tif 000005
【図４】
2005203913.tif 000006
【図５】
2005203913.tif 000007
【図６】
2005203913.tif 000008